(57)【要約】【課題】本発明は、筐体の組み立て時にねじ部材を用いる構成でありながら、組み立ておよび分解作業を容易に行なうことができ、作業性を改善できる筐体を得ることにある。【解決手段】筐体(5)は、起立する第１の筐体部(8)と、第１の筐体部(8)に横方向から突き合わされるとともに、複数のねじ部材(22)を介して第１の筐体部(8)に取り外し可能に連結される第２の筐体部(9)と、を備えている。第１の筐体部(8)は、ねじ部材(22)を弛めて第２の筐体部(9)との連結を解除した時に、第２の筐体部(9)が自重により取り外し可能に引っ掛かる受け部(19)を有している。【選択図】      図９
2008164803.tif 000002
【特許請求の範囲】
【請求項１】
起立する第１の筐体部と、
上記第１の筐体部に横方向から突き合わされるとともに、複数のねじ部材を介して上記第１の筐体部に取り外し可能に連結される第２の筐体部と、を備える筐体であって、
上記第１の筐体部は、上記ねじ部材を弛めて上記第２の筐体部との連結を解除した時に、上記第２の筐体部が自重により引っ掛かる受け部を有することを特徴とする筐体。
【請求項２】
請求項１の記載において、上記第１および第２の筐体部は、互いに突き合わされる上縁部を有し、上記受け部は、上記第１の筐体部から上記第２の筐体部の上縁部の下方に入り込むように突出するとともに、その突出端に第１の係合部を有し、上記第２の筐体部は、上記ねじ部材を弛めて上記第１の筐体部に対する連結を解除した時に、上記第１の筐体部の第１の係合部に引っ掛かる第２の係合部を有することを特徴とする筐体。
【請求項３】
請求項２の記載において、上記第１の係合部は、上向きに突出する突起であり、上記第２の係合部は、上記突起が取り外し可能に入り込む孔であることを特徴とする筐体。
【請求項４】
請求項１の記載において、上記第１および第２の筐体部は、互いに向かい合う側部を有し、上記受け部は、上記第１の筐体部の側部から上記第２の筐体部の側部に向けて突出するとともに、上記第２の筐体部はその側部から上記第１の筐体部の受け部の上に延出する係合部を有し、上記係合部は、上記ねじ部材を弛めて上記第１の筐体部に対する上記第２の筐体部の連結を解除した時に上記受け部に取り外し可能に引っ掛かることを特徴とする筐体。
【請求項５】
請求項１の記載において、上記第２の筐体部は、上記ねじ部材が貫通する貫通孔と、上記貫通孔の周囲から上記第１の筐体部に向けて突出するガイド突起とを有し、上記第１の筐体部は、上記貫通孔に対応する位置に上記ねじ部材を受けるボス部と、上記ガイド突起が摺動可能に接するガイド面とを有し、
上記ガイド突起および上記ガイド面は、上記ねじ部材を上記貫通孔を通じて上記ボス部にねじ込んでいく時に、上記第１の筐体部と上記第２の筐体部とが合致するように、上記第１の筐体部に対する上記第２の筐体部の移動方向をガイドする位置補正機構を構成することを特徴とする筐体。
【請求項６】
請求項５の記載において、上記位置補正機構と上記受け部とは互いに隣り合うことを特徴とする筐体。
【請求項７】
表示パネルを支持するフロントカバーと、
このフロントカバーを後方から覆うとともに、複数のねじ部材を介して上記フロントカバーに取り外し可能に連結されるバックカバーと、を備えるディスプレイ用筐体であって、
上記フロントカバーは、上記ねじ部材を弛めて上記バックカバーとの連結を解除した時に、上記バックカバーが自重により取り外し可能に引っ掛かる複数の受け部を有することを特徴とするディスプレイ用筐体。
【請求項８】
請求項７の記載において、上記受け部は、上記フロントカバーの幅方向に離れて配置されていることを特徴とするディスプレイ用筐体。
【請求項９】
請求項７又は請求項８の記載において、上記受け部は、上記バックカバーの重心よりも上方に位置することを特徴とするディスプレイ用筐体。
【発明の詳細な説明】
【技術分野】
【０００１】
本発明は、例えばフロントカバーとバックカバーとを複数のねじ部材を介して連結した薄型テレビ用の筐体に係り、特にフロントカバーに対するバックカバーの着脱作業を容易に行うための構造に関する。
【背景技術】
【０００２】
例えば液晶テレビのような薄型テレビは、液晶表示パネルやスピーカボックス等を収容するフラットな筐体を備えている。筐体は、液晶表示パネルを取り囲んで保持するフロントカバーと、このフロントカバーを後方から覆うバックカバーとに分割されており、これらフロントカバーおよびバックカバーは、合成樹脂材料によって成形されている。
【０００３】
従来のテレビ用の筐体は、フロントカバーの外周縁部とバックカバーの外周縁部とを互いに突き合わせるとともに、この突き合わせ部分を複数のねじで結合することにより一体的に組み立てられている。
【０００４】
この構成によると、筐体を組み立てる際に数多くのねじを必要とするので、筐体の組み立て時の作業性を考慮すると、ねじの数は少ない方が望ましいことになる。これを実現するものとして、特許文献１は、ねじを一切に用いることなく組み立てを可能とする筐体を開示している。
【０００５】
特許文献１の筐体は、キャビネットと、このキャビネットの背面側開口を覆うリヤカバーとで構成されている。キャビネットは、背面側開口に臨む下縁部に左右の係合穴を有するとともに、背面側開口に臨む上縁部に後方に向けて突出する左右の爪を有している。リヤカバーは、上記係合穴に対応する係合用突部と、上記爪に対応する筒状の爪受け部とを有している。
【０００６】
リヤカバーをキャビネットの背面側開口の開口縁部に突き合わせると、爪受け部の内側に爪が入り込んで、爪の先端部が爪受け部に引っ掛かるとともに、係合用突部が係合穴に係合する。これにより、リヤカバーがキャビネットの背面側に固定され、組み立て用のねじを不要とすることができる。
【特許文献１】特開昭６４−３７１８３号公報
【発明の開示】
【発明が解決しようとする課題】
【０００７】
特許文献１に開示された筐体によると、係合用突部、爪および爪受け部は、合成樹脂製のキャビネットやリヤカバーに一体に形成されている。合成樹脂材料は、例えば経年劣化、熱膨張・熱収縮による変形が生じ易いので、爪が爪受け部の内側に入り込んだ時に、爪と爪受け部との間に隙間が生じたり、係合用突部と係合穴との間に隙間が生じることがあり得る。逆にキャビネットやリヤカバーが膨張すると、爪が爪受け部に強固に食い込んだり、係合用突部が係合穴から抜けなくなることがあり得る。
【０００８】
この結果、ねじを一切使用しないでキャビネットとリヤカバーとを連結する構成では、キャビネットとリヤカバーとの間にがたつきが生じたり、リヤカバーをキャビネットから取り外すことが困難となる虞があり得る。
【０００９】
よって、筐体の組み立て時の作業性はある程度改善されるものの、逆に筐体の品質が低下したり、リヤカバーをキャビネットから取り外す時に大きな抵抗が生じるのを避けられず、最悪の場合は爪や係合用突部が破損するといった不具合が生じてくる。
【００１０】
本発明の目的は、ねじ部材を用いて筐体を組み立てる構成でありながら、筐体の組み立ておよび分解作業を容易に行なうことができ、作業性を改善できる筐体を得ることにある。
【課題を解決するための手段】
【００１１】
上記目的を達成するため、本発明の一つの形態に係る筐体は、  
起立する第１の筐体部と、上記第１の筐体部に横方向から突き合わされるとともに、複数のねじ部材を介して上記第１の筐体部に取り外し可能に連結される第２の筐体部と、を備えている。  
上記第１の筐体部は、上記ねじ部材を弛めて上記第２の筐体部との連結を解除した時に、上記第２の筐体部が自重により引っ掛かる受け部を有することを特徴としている。
【発明の効果】
【００１２】
本発明によれば、第１の筐体部に対する第２の筐体部の連結を解除した時に、第２の筐体部を第１の筐体部に一時的に保持することができる。このため、第２の筐体部が第１の筐体部から脱落するのを防止でき、第２の筐体部の取り外し作業を容易に行なえるとともに、第２の筐体部の傷付き防止にも役立つ。
【００１３】
さらに、第２の筐体部を第１の筐体部に連結する場合にも、第２の筐体部を第１の筐体部に引っ掛けて、この第１の筐体部に仮止めすることができる。そのため、第２の筐体部を片手で支えながら、もう一方の手でねじ部材をねじ込むといった面倒な作業から開放される。よって、第２の筐体部を第１の筐体部にねじ部材を用いて連結する構成でありながら、筐体の組み立て作業を容易に行なうことができる。
【発明を実施するための最良の形態】
【００１４】
以下本発明の第１の実施の形態を、図１ないし図１０に基づいて説明する。
【００１５】
図１は、ディスプレイ装置の一例である薄型の液晶テレビ１を開示している。液晶テレビ１は、スタンド２とディスプレイ本体３とを備えている。
【００１６】
スタンド２は、例えばテレビ台の据付面４の上にディスプレイ本体３を支持している。ディスプレイ本体３は、偏平な箱状の筐体５と、この筐体５に収容された液晶表示パネル６とを備えている。筐体５は、据付面４の上で起立している。液晶表示パネル６は、表示画面６ａを有し、この表示画面６ａは、筐体５の前面に露出している。
【００１７】
図３および図４に示すように、筐体５は、フロントカバー８とバックカバー９とに分割されている。フロントカバー８およびバックカバー９は、例えば合成樹脂材料により成形されている。フロントカバー８は、第１の筐体部の一例であり、液晶表示パネル６を取り囲んで保持している。バックカバー９は、第２の筐体部の一例であり、フロントカバー８を背後から覆っている。
【００１８】
フロントカバー８は、前壁１１と周壁１２とを備えている。前壁１１は、据付面４に対し起立している。前壁１１は、液晶表示パネル６の表示画面６ａを露出させる四角い開口部１３を有している。周壁１２は、前壁１１の周縁から前壁１１の後方に向けて突出するとともに、前壁１１の周方向に連続している。
【００１９】
バックカバー９は、後壁１４と周壁１５とを備えている。後壁１４は、据付面４に対し起立している。周壁１５は、後壁１４の周縁から後壁１４の前方に向けて突出するとともに、後壁１４の周方向に連続している。
【００２０】
バックカバー９の周壁１５の先端縁部は、フロントカバー８の背後からフロントカバー８の周壁１２の先端縁部に突き合わされる。言い換えると、バックカバー９は、起立するフロントカバー８に対し横方向から突き合わされる。
【００２１】
バックカバー９の周壁１５の先端縁部に嵌合部１６が一体に形成されている。嵌合部１６は、周壁１５の上部から左右の側部に亘って設けられるとともに、周壁１５の先端縁部からフロントカバー８に向けて突出している。嵌合部１６は、バックカバー９をフロントカバー８に突き合わせた時に、フロントカバー８の周壁１２の内側に嵌まり込んで、周壁１２の内面に接するようになっている。
【００２２】
この接触により、フロントカバー８とバックカバー９との相対的な位置合わせがなされるとともに、フロントカバー８の周壁１２とバックカバー９の周壁１５とが同一面上に位置するようになっている。
【００２３】
図３に示すように、嵌合部１６は、筐体５の内側に露出する内面１７を有している。嵌合部１６の内面１７は、嵌合部１６の先端縁部から周壁１５の方向に進むに従い周壁１５の内面１５ａよりも筐体５の内側に向けて張り出すように傾斜している。この傾斜により、周壁１５の内面１５ａと嵌合部１６との間の境界部には、段差部１８が形成されている。
【００２４】
図２および図３に示すように、フロントカバー８の周壁１２の内面のうち、フロントカバー８の上壁となる部分に一対の受け部１９が一体に形成されている。受け部１９は、筐体５の幅方向の中心を通って鉛直方向に延びる中心線ＣＬに対し、筐体５の幅方向に振り分けて配置されている。本実施の形態では、一方の受け部１９から中心線ＣＬまでの距離をＬ１、他方の受け部１９から中心線ＣＬまでの距離をＬ２とした時、
Ｌ１＝Ｌ２
の関係を満たすように受け部１９が配置されている。
【００２５】
受け部１９は、フロントカバー８の周壁１２からバックカバー９に向けて突出している。受け部１９は、嵌合部１６の下方に位置するとともに、その上面が受け部１９の先端の方向に進むに従い下向きに傾斜している。
【００２６】
受け部１９の先端部に爪部２０が形成されている。爪部２０は第１の係合部の一例であって、受け部１９の先端から上向きに張り出している。爪部２０は、フロントカバー８とバックカバー９とが互いに突き合わされた状態において、段差部１８よりも低い位置でバックカバー９の内側に入り込んでいる。
【００２７】
図２に示すように、バックカバー９は、複数のねじ部材２２を介してフロントカバー８に取り外し可能に連結されている。ねじ部材２２は、例えばバックカバー９の上縁部の三箇所、下縁部の三箇所および左右の側縁部の一箇所において、バックカバー９とフロントカバー８とを互いに結合している。ねじ部材２２は、筐体５の背後からバックカバー９を貫通するとともに、その貫通端がフロントカバー８にねじ込まれている。
【００２８】
具体的に述べると、図４にフロントカバー８およびバックカバー９の上縁部を代表して示すように、バックカバー９は、ねじ部材２２が貫通する貫通孔２３を有している。図５に最もよく示されるように、貫通孔２３は、筐体５の高さ方向に沿う長孔となっている。
【００２９】
フロントカバー８は、上記貫通孔２３に対応する位置にボス部２４を有している。ボス部２４は、前壁１１の内面からバックカバー９に向けて突出しており、このボス部２４の突出端は垂直な平坦面２５となっている。ボス部２４にねじ孔２６が形成されている。ねじ孔２６は、ボス部２４の平坦面２５に開口するとともに、貫通孔２３と合致している。
【００３０】
ねじ部材２２は、バックカバー９の背後から貫通孔２３を通じてねじ孔２６にねじ込まれている。このねじ込みにより、ねじ部材２２の頭部２２ａとボス部２４の平坦面２５との間でバックカバー９が挟み込まれて、バックカバー９がフロントカバー８に固定されている。
【００３１】
図２に示すように、フロントカバー８の上縁部とバックカバー９の上縁部との結合部分の三箇所に位置補正機構３０が設けられている。位置補正機構３０は、ねじ部材２２をねじ孔２６にねじ込んだ時に、フロントカバー８に対するバックカバー９の移動方向をガイドするためのものである。位置補正機構３０は、筐体５の幅方向に間隔を存して配置されているとともに、上記受け部１９と交互に並んでいる。言い換えると、本実施の形態では、三つの位置補正機構３０の間に受け部１９が位置している。
【００３２】
図４に示すように、位置補正機構３０は、ガイド突起３１とガイド凹部３２とを備えている。ガイド突起３１は、バックカバー９に一体に形成されている。ガイド突起３１は、上記貫通孔２３の近傍からフロントカバー８に向けて突出している。ガイド凹部３２は、ボス部２４に形成されて、ガイド突起３１を受け入れ可能となっている。
【００３３】
ガイド凹部３２の内面にガイド面３３が形成されている。ガイド面３３は、ガイド突起３１の先端部が摺動可能に接するものであり、ガイド凹部３２の下端に位置している。ガイド面３３は、ガイド凹部３２の開口端から終端の方向に進むに従い上向きに傾斜している。このガイド面３３の傾斜角度および傾斜方向は、上記受け部１９の上面の傾斜角度および傾斜方向と略一致している。
【００３４】
通常の液晶テレビ１の生産工程において、筐体５を組み立てる時は、図６に示すように、フロントカバー８の前壁１１を水平なテーブル３５の上に載置し、周壁１２の先端縁部を上向きとする。この状態でフロントカバー８の上にバックカバー９を被せ、フロントカバー８の周壁１２の先端縁部とバックカバー９の周壁１５の先端縁部とを突き合わせる。
【００３５】
この時、バックカバー９の嵌合部１６がフロントカバー８の周壁１２の内側に嵌合する。それとともに、図７に示すように、バックカバー９から突出するガイド突起３１がガイド凹部３２のガイド面３３に沿って滑り落ちて、ガイド凹部３２の内側の定位置に落ち着く。
【００３６】
これにより、フロントカバー８とバックカバー９との位置合せが完了し、フロントカバー８の周壁１２とバックカバー９の周壁１５とが同一面上に位置する。よって、フロントカバー８とバックカバー９との突き合わせ部分に段差が生じることはないとともに、図６に示すように、受け部１９の爪部２０が嵌合部１８の基端の段差部１８から離れた状態を維持する。
【００３７】
また、フロントカバー８とバックカバー９との位置合せが完了した時点では、図７に示すように、バックカバー９の貫通孔２３とフロントカバー８のねじ孔２６とが互いに合致する。この状態で、バックカバー９の上から貫通孔２３にねじ部材２２を挿入し、このねじ部材２２をねじ孔２６にねじ込む。このねじ込みにより、図８に示すように、フロントカバー８とバックカバー９とが互いに突き合わされた状態を維持した状態で一体的に結合される。
【００３８】
液晶テレビ１の保守・点検を実施する場合、液晶テレビ１のディスプレイ本体３が起立していることが多い。そのため、ねじ部材２２を弛めてフロントカバー８に対するバックカバー９の連結を解除すると、図９に示すように、バックカバー９がフロントカバー８から解放され、その自重によりバックカバー９の嵌合部１６がフロントカバー８から突出する受け部１９の上に落下する。受け部１９の上面は、爪部２０に向けて下向きに傾斜しているので、嵌合部１６が受け部１９の上面を滑り落ちて、第２の係合部としての段差部１８が受け部１９の爪部２０に引っ掛かる。
【００３９】
この結果、バックカバー９は、受け部１９と段差部１８との係合によりフロントカバー８に一時的に保持された状態を維持することになり、全てのねじ部材２２を筐体５から外しても、バックカバー９がフロントカバー８から脱落することはない。
【００４０】
さらに、本実施の形態では、受け部１９と段差部１８との係合部分は、バックカバー９の重心よりも上方に位置している。このため、バックカバー９の連結を解除した時点でも、バックカバー９の上部が後方に倒れ込むことはなく、受け部１９の爪部２０がバックカバー９の段差部１８に確実に引っ掛かる。
【００４１】
フロントカバー８からバックカバー９を完全に取り外すには、全てのねじ部材２２を外した後に、バックカバー９を手で僅かに持ち上げ、段差部１８と爪部２０との係合を解除する。この状態で、バックカバー９をフロントカバー８の後方に引き出せば、フロントカバー８からバックカバー９を分離させることができる。
【００４２】
バックカバー９をフロントカバー８に取り付けるには、図９に示すように、バックカバー９の嵌合部１６をフロントカバー８から突出する受け部１９の上に載置する。これにより、嵌合部１６と周壁１５との境界に位置する段差部１８が受け部１９の爪部２０に引っ掛かり、バックカバー９がフロントカバー８に一時的に仮止めされる。よって、バックカバー９から手を離してもバックカバー９がフロントカバー８から脱落することはない。
【００４３】
さらに、バックカバー９をフロントカバー８に仮止めした状態では、図１０に示すように、貫通孔２３の上部がねじ孔２６と合致するとともに、ガイド突起３１の先端部がガイド面３３に接触する。
【００４４】
バックカバー９をフロントカバー８に仮止めした後、バックカバー９の上縁部に位置する三つの貫通孔２３にバックカバー９の背後からねじ部材２２を挿通する。ねじ部材２２をねじ孔２６にねじ込んでいくと、ねじ部材２２の頭部２２ａが貫通孔２３の開口縁部に接触する。このため、ねじ部材２２のねじ込み動作に追従してバックカバー９がフロントカバー８に向けて押圧され、ガイド突起３１がガイド面３３に沿って移動する。
【００４５】
ガイド面３３は、ガイド凹部３２の開口端から終端の方向に進むに従い上向きに傾斜している。このため、バックカバー９のガイド突起３１がガイド面３３に接触することで、バックカバー９は、その周壁１５の先端縁部がフロントカバー８の周壁１２の先端縁部に近づくように、バックカバー９の移動方向がガイドされる。
【００４６】
したがって、バックカバー９の上縁部に位置するねじ部材２２を締め付けることで、フロントカバー８の周壁１２の先端縁部とバックカバー９の周壁１５の先端縁部とが合致するようにバックカバー９が引き上げられる。これにより、バックカバー９の下縁部および側縁部に位置する他の貫通孔２３の下部がねじ孔２６と合致する。
【００４７】
この後、バックカバー９の下縁部および側縁部の貫通孔２３にねじ部材２２を挿入して、フロントカバー８のねじ孔２６にねじ込むことで、フロントカバー８に対するバックカバー９の連結作業が完了する。
【００４８】
このような本発明の第１の実施の形態によれば、全てのねじ部材２２を取り外してフロントカバー８に対するバックカバー９の連結を解除した状態でも、バックカバー９は、受け部１９との係合によりフロントカバー８に一時的に保持された状態を維持する。このため、バックカバー９の不意な脱落を防止することができ、バックカバー９の傷付き防止に役立つ。
【００４９】
しかも、バックカバー９をフロントカバー８から取り外す時に、片方の手でバックカバー９を支えながら、もう一方の手でねじ部材２２を弛めるといった煩雑な作業から開放され、バックカバー９の取り外し作業を容易に行うことができる。
【００５０】
さらに、バックカバー９をフロントカバー８に連結する際にも、バックカバー９をフロントカバー８の受け部１９に引っ掛けることで、バックカバー９をフロントカバー８に仮止めすることができる。このため、バックカバー９を片手で支えながら、もう一方の手でねじ部材２２を落さないようにねじ孔２６に差し込み、さらにドライバーで締め付けるといった面倒な作業から開放される。
【００５１】
それとともに、第１の実施の形態では、フロントカバー８の上縁部とバックカバー９の上縁部との連結部分にガイド突起３１とガイド面３３とを有する位置補正機構３０が設けられている。このため、バックカバー９の上縁部に位置するねじ部材２２を締め付けていくと、ガイド面３３の傾斜に沿うようにバックカバー９が持ち上げられ、このバックカバー９の周壁１５の先端縁部がフロントカバー８の周壁１２の先端縁部と合致する。
【００５２】
この結果、フロントカバー８に対するバックカバー９の位置合せ作業を簡単に行うことができ、バックカバー９とフロントカバー８とを複数のねじ部材２２を用いて連結する構成でありながら、筐体５の組み立て作業を容易に行なえるといった利点がある。
【００５３】
なお、本発明は上記第１の実施の形態に特定されるものではなく、発明の主旨を逸脱しない範囲内で種々変形して実施可能である。
【００５４】
図１１ないし図１３は、本発明の第２の実施の形態を開示している。
【００５５】
この第２の実施の形態は、バックカバー９がフロントカバー８から不意に外れないように、バックカバー９をフロントカバー８に仮止めするための構成が上記第１の実施の形態と相違している。それ以外の筐体５の構成は、第１の実施の形態と同様である。このため、第２の実施の形態において、第１の実施の形態と同一の構成部分には同一の参照符号を付して、その説明を省略する。
【００５６】
図１２に示すように、フロントカバー８の受け部１９は、前壁１１の内面の上端部からバックカバー９に向けて突出している。受け部１９は、フロントカバー８の周壁１２の上部と向かい合うように平行に配置されており、これら受け部１９の上面と周壁１２の内面との間に隙間４１が形成されている。
【００５７】
受け部１９の上面に第１の係合部としての突起４２が形成されている。突起４２は、受け部１９の長手方向に沿う中間部に位置するとともに、受け部１９の上面から隙間４１に向けて突出している。突起４２の上面は、受け部１９の突出先端の方向に進むに従い下向きに傾斜している。このため、突起４２の前壁１１側の端部に段差部４３が形成されている。
【００５８】
図１１に示すように、バックカバー９の周壁１５の上部に挿入片４４が一体に形成されている。挿入片４４は、周壁１５の先端縁部からフロントカバー８に向けて水平に突出している。挿入片４４は、バックカバー９の周壁１５の先端縁部をフロントカバー８の周壁１２の先端縁部に突き合わせた時に、隙間４１に差し込まれるようになっている。
【００５９】
挿入片４４の中央部に第２の係合部としての係合孔４５が形成されている。係合孔４５は、突起４２に取り外し可能に引っ掛かる開口形状を有している。係合孔４５は、バックカバー９の周壁１５の先端縁部をフロントカバー８の周壁１２の先端縁部に突き合わせた時に、突起４２の真上に位置するようになっている。
【００６０】
このような構成において、全てのねじ部材を弛めてフロントカバー８に対するバックカバー９の連結を解除すると、バックカバー９が自重によりフロントカバー８から解放され、図１３に示すように、バックカバー９の挿入片４４が隙間４１の内側でフロントカバー８の受け部１９の上に落下し、受け部１９の突起４２が挿入片４４の係合孔４５に入り込む。よって、突起４２の段差部４３が係合孔４５の開口縁に引っ掛かり、バックカバー９がフロントカバー８に保持された状態を維持する。
【００６１】
したがって、全てのねじ部材を弛めて外しても、バックカバー９がフロントカバー８から脱落することはない。
【００６２】
フロントカバー８からバックカバー９を完全に取り外すには、全てのねじ部材を外した後に、バックカバー９を手で僅かに持ち上げ、係合孔４５と突起４２との係合を解除する。この状態で、バックカバー９をフロントカバー８の後方に引き出せば、フロントカバー８とバックカバー９とを互いに分離させることができる。
【００６３】
バックカバー９をフロントカバー８に取り付けるには、まず、バックカバー９の挿入片４４を隙間４１に挿入する。この挿入により、挿入片４４の先端が突起４２の上面に乗り上がるとともに、挿入片４４の係合孔４５が突起４２と合致した時に、突起４２が係合孔４５に入り込む。この結果、突起４２の段差部４３が係合孔４５の開口縁に引っ掛かり、バックカバー９がフロントカバー８に一時的に仮止めされる。よって、バックカバー９から手を離してもバックカバー９がフロントカバー８から脱落することはない。
【００６４】
このような本発明の第２の実施の形態によると、バックカバー９は受け部１９との係合によりフロントカバー８に仮止めされた状態を維持する。このため、バックカバー９の不意な脱落を防止することができ、バックカバー９の傷付き防止に役立つ。
【００６５】
しかも、バックカバー９をフロントカバー８から取り外す時に、片方の手でバックカバー９を支えながら、もう一方の手で複数のねじ部材を弛めるといった煩雑な作業から開放され、バックカバー９の取り外し作業を容易に行うことができる。
【００６６】
さらに、バックカバー９をフロントカバー８に連結する際にも、バックカバー９をフロントカバー８の受け部１９に引っ掛けることで、バックカバー９をフロントカバー８に仮止めすることができる。このため、バックカバー９を片手で支えながら、もう一方の手でねじ部材を落さないように締め付けるといった面倒な作業から開放され、筐体５の組み立て作業を容易に行うことができる。
【００６７】
図１４ないし図１６は、本発明の第３の実施の形態を開示している。
【００６８】
この第３の実施の形態は、バックカバー９をフロントカバー８に仮止めするための構成が上記第１の実施の形態と相違している。それ以外の筐体５の構成は、第１の実施の形態と同様である。そのため、第３の実施の形態において、第１の実施の形態と同一の構成部分には同一の参照符号を付して、その説明を省略する。
【００６９】
図１４に示すように、フロントカバー８の前壁１１の内面に左右の受け部５１（一方のみを図示）と左右のガイド壁５２（一方のみを図示）が一体に形成されている。受け部５１は、板状をなすとともに、前壁１１の内面の側部からバックカバー９に向けて突出している。受け部５１は、周壁１２の左右の側部および周壁１２の上部に隣接している。図１５に示すように、受け部５１と周壁１２の側部の内面との間に隙間５３が形成されている。隙間５３は、バックカバー９の嵌合部１６が摺動可能に差し込まれる幅寸法を有している。
【００７０】
受け部５１の上縁５１ａは、その途中からバックカバー９の方向に進むに従い下向きに傾斜している。この上縁５１ａの中間部には、段差部５４が形成されている。
【００７１】
上記ガイド壁５２は、前壁１１の内面の側部からバックカバー９に向けて突出している。ガイド壁５２は、上記受け部５１の近傍に位置するとともに、周壁１２の左右の側部に隣接している。図１６に示すように、ガイド壁５２の縁部と周壁１２の側部の内面との間に隙間５５が形成されている。隙間５５は、バックカバー９の嵌合部１６が摺動可能に差し込まれる幅寸法を有している。
【００７２】
一方、バックカバー９の周壁１５の側部に左右のフランジ壁５７（一方のみを図示）が形成されている。フランジ壁５７は、周壁１５の内面からバックカバー９の内側に向けて張り出している。フランジ壁５７の上部に突起５８が一体に形成されている。突起５８は、フランジ壁５７の前面からフロントカバー８に向けて突出している。
【００７３】
突起５８は、バックカバー９の周壁１５の先端縁部をフロントカバー８の周壁１２の先端縁部に突き合わせた時に、受け部５１の上に位置するようになっている。突起５８の先端に係合部としての爪部５９が形成されている。爪部５９は、突起５８の先端から下向きに張り出すとともに、上記受け部５１の段差部５４に取り外し可能に引っ掛かるようになっている。
【００７４】
このような構成において、全てのねじ部材を弛めてフロントカバー８に対するバックカバー９の連結を解除すると、バックカバー９が自重によりフロントカバー８から解放され、バックカバー９の突起５８がフロントカバー８の受け部５１の上に落下し、突起５８の爪部５９が受け部５１の段差部５４に引っ掛かる。よって、バックカバー９は、フロントカバー８に一時的に保持された状態を維持する。
【００７５】
したがって、全てのねじ部材を弛めて外しても、バックカバー９がフロントカバー８から脱落することはなく、上記第１の実施の形態と同様の効果を得ることができる。
【００７６】
図１７は、本発明の第４の実施の形態を開示している。
【００７７】
この第４の実施の形態では、バックカバー９の嵌合部１６の側部に左右の突起５８（一方のみを図示）が一体に形成されている。突起５８は、嵌合部１６の側部の内面から突出しており、嵌合部１６が隙間５３に差し込まれた時に、フロントカバー８の受け部５１の上に位置するようになっている。
【００７８】
このような構成において、全てのねじ部材を弛めてフロントカバー８に対するバックカバー９の連結を解除すると、バックカバー９が自重によりフロントカバー８から外れる。これにより、バックカバー９の突起５８がフロントカバー８の受け部５１の上に落下し、突起５８の爪部５９が受け部５１の段差部５４に引っ掛かる。よって、バックカバー９は、フロントカバー８に一時的に保持された状態を維持する。
【００７９】
したがって、全てのねじ部材を弛めて外しても、バックカバー９がフロントカバー８から脱落することはなく、上記第１の実施の形態と同様の効果を得ることができる。
【００８０】
本発明において、フロントカバーに設置する受け部の数は、上記実施の形態に特定されるものではなく、例えば筐体のサイズ・重量等を勘案して適宜設定することができる。例えば、筐体が小型軽量である場合には、一つの受け部をフロントカバーの上部の幅方向に沿う中央又は中央付近に設置することが可能である。
【００８１】
さらに、本発明に係る筐体は、液晶テレビのような薄型テレビのディスプレイ本体用に特定されるものではなく、例えばパーソナルコンピュータのディスプレイ用の筐体あるいはその他の電子機器用の筐体としても同様に実施可能である。
【図面の簡単な説明】
【００８２】
【図１】本発明の第１の実施の形態に係る液晶テレビの正面図。
【図２】本発明の第１の実施の形態に係る液晶テレビの背面図。
【図３】本発明の第１の実施の形態において、フロントカバーとバックカバーとを突き合わせた状態を示す断面図。
【図４】本発明の第１の実施の形態において、フロントカバーとバックカバーとをねじ部材を介して連結した状態を示す断面図。
【図５】本発明の第１の実施の形態において、バックカバーの貫通孔の形状を示す背面図。
【図６】本発明の第１の実施の形態において、水平なテーブルの上に載置されたフロントカバーにバックカバーを突き合わせた状態を示す断面図。
【図７】本発明の第１の実施の形態において、ねじ部材、バックカバーの貫通孔およびフロントカバーのねじ孔の位置関係を示す断面図。
【図８】本発明の第１の実施の形態において、水平なテーブルの上に載置されたフロントカバーにねじ部材を介してバックカバーを連結した状態を示す断面図。
【図９】本発明の第１の実施の形態において、フロントカバーの受け部にバックカバーが引っ掛かった状態を示す断面図。
【図１０】本発明の第１の実施の形態において、バックカバーをフロントカバーに取り付ける時のガイド突起とガイド面との位置関係を示す断面図。
【図１１】本発明の第２の実施の形態において、バックカバーの挿入片に対応する部分を示す斜視図。
【図１２】本発明の第２の実施の形態において、フロントカバーとバックカバーとを突き合わせた状態を示す断面図。
【図１３】本発明の第２の実施の形態において、バックカバーの挿入片がフロントカバーの突起に引っ掛かった状態を示す断面図。
【図１４】本発明の第３の実施の形態において、フロントカバーの受け部とバックカバーの突起との位置関係を示す斜視図。
【図１５】本発明の第３の実施の形態において、フロントカバーの周壁と受け部との位置関係を示す断面図。
【図１６】本発明の第３の実施の形態において、フロントカバーの周壁とガイド壁との位置関係を示す断面図。
【図１７】本発明の第４の実施の形態において、フロントカバーの受け部とバックカバーの突起との位置関係を示す斜視図。
【符号の説明】
【００８３】
５…筐体、６…液晶表示パネル（表示パネル）、８…フロントカバー、９…バックカバー、１９，５１…受け部、２２…ねじ部材。
【図１】
2008164803.tif 000003
【図２】
2008164803.tif 000004
【図３】
2008164803.tif 000005
【図４】
2008164803.tif 000006
【図５】
2008164803.tif 000007
【図６】
2008164803.tif 000008
【図７】
2008164803.tif 000009
【図８】
2008164803.tif 000010
【図９】
2008164803.tif 000011
【図１０】
2008164803.tif 000012
【図１１】
2008164803.tif 000013
【図１２】
2008164803.tif 000014
【図１３】
2008164803.tif 000015
【図１４】
2008164803.tif 000016
【図１５】
2008164803.tif 000017
【図１６】
2008164803.tif 000018
【図１７】
2008164803.tif 000019